【事件の表示】
　特許第２９０２７０３号「調光式ストロボの制御回路」の特許に対する特許異議の申立てについて、次のとおり決定する。
【結　論】
　訂正を認める。
　特許第２９０２７０３号の請求項１ないし３に係る特許を維持する。
【理　由】
（１）手続きの経緯
　本件特許第２９０２７０３号発明は、平成２年１月２９日に特許出願され、平成１１年３月１９日にその発明の特許がなされ、その後、大山　育男より特許異議の申立てがなされ、取消理由通知がなされ、その指定期間内である平成１２年５月８日に訂正請求（後日取り下げ）がなされ、再度取消理由通知がなされ、その指定期間内である平成１２年９月１日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「（１）電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御されるゲート電極制御手段と、を具備し、上記ゲート電極制御手段により該スイッチング素子が導通状態に転じた後に発光開始信号を発生させることを特徴とする調光式ストロボの制御回路。」
イ.訂正明細書の請求項３に係る発明
　訂正明細書の請求項３に係る発明は、その特許請求の範囲の請求項３に特定された次のとおりのものである。
　「（３）電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備し、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続したことを特徴とする調光式ストロボの制御回路。」
（ｉｉ）発明の詳細な説明の訂正
ア.明細書第６頁第１９行〜第７頁第１６行(特許掲載公報第６欄第９行〜第７欄第３４行)までを「請求項１に係る発明による調光式ストロボの制御回路は、電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御されるゲート電極制御手段と、を具備し、上記ゲート電極制御手段により該スイッチング素子が導通状態に転じた後に発光開始信号を発生させることを特徴とし、
第２の調光式ストロボの制御回路は、上記ゲート電極制御手段が、上記第１のスイッチング素子のゲート端子とエミッタ端子間に接続され、上記第１のスイッチング素子をターンオフさせる第２のスイッチング素子を含み、
　また、請求項３に係る調光式ストロボの制御回路は、電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備し、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続したことを特徴とする。」と訂正する。
（ｉｉｉ）訂正の目的の適否及び拡張・変更の存否等
　上記訂正（ｉ）は、訂正前特許請求の範囲の請求項３、５〜８を削除すると共に、請求項１を減縮し、請求項４を請求項３に繰り上げると共に減縮したものであるから、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）独立特許要件の判断
（引用刊行物に記載された発明）
訂正前明細書の請求項１〜８に係る発明に対して、当審が通知した取消理由で引用した（特願平２−２５２３号〔特開平３−２０８０３１号公報〕）（以下「第１引用例」という。）には、「電源と昇圧回路と整流回路とメインコンデンサとフラッシュ発光部を有するフラッシュ装置であって、発光開始信号によって前記フラッシュ発光部を励起させるトリガ手段と、メインコンデンサの放電ループ内に設けられたＩＧＢＴと、前記ＩＧＢＴのゲート電圧を制御することにより前記放電ループを前記ＩＧＢＴで開閉させる発光制御回路を備え、前記発光制御回路は発光開始信号の出力に先立って発光制御信号を出力することを特徴とするフラッシュ光量制御装置。」（特許請求の範囲）、「従来はストロボのＤＣ/ＤＣコンバータのトランスの２次巻線から中間タップを取り出し３０Ｖの電圧を得ていた。しかしながら、中間タップ付きのトランスは高価であり、また、取り出される電圧も大きく変動するため定電圧回路が必要となり部品点数、コストとも増加する。
２）ＩＧＢＴのゲート電極は寄生容量が大きく、ゲート電圧を制御する回路は低インピーダンスが必要となる。インピーダンスが高いとゲート電圧の立ち上り、立ち下りに時間を要し、発光光量の制御が正確にできなかったりＩＧＢＴ自体を破壊するなどの不具合が発生する。」（第２頁左上欄第２〜１４行）、「本発明は上記従来の問題を解決するものであり、部品点数が少く、低コストでかつ小型化可能なフラッシュ光量制御装置を提供することを目的とするものである。」（第２頁左上欄第１７〜２０行）、「第１図において、１１は昇圧回路、１２は整流回路、１３はフラッシュ発光部（閃光放電管Ｘｅ）を励起させるトリガ回路、１４は放電ループであって、メインコンデンサとＩＧＢＴとフラッシュ発光部Ｘｅ等を有する。１５は発光制御回路である。」（第２頁左下欄第１〜６行）、「発光時、まず発光制御回路１５の発光制御信号がＨになりＩＧＢＴをＯＮさせる。寄生容量に対し十分に電荷を与え完全にＩＧＢＴがＯＮした後（第２図のＴＤ時間後）、発光開始信号がＨになり閃光放電管Ｘｅは発光を始める。次に発光制御信号が低レベル（以下、Ｌと略す）になることで閃光放電管Ｘｅの発光は停止する。」（第２頁左下欄第２０行〜右下欄第６行）、及び「本発明は上記実施例から明らかなように、発光制御信号を発光開始信号に先だって出力することにより、従来のフラッシュ装置（例えば特開昭６４−１７０３３号公報等）に比較し少ない部品点数で構成可能であり、低コスト、省スペースが可能となる。また、発光制御信号に対しＩＧＢＴは十分に早い応答が可能なため、ＩＧＢＴの電気的容量を不必要に大きくする必要がなく小型化が可能になるという効果を有する。」（第２頁右下欄第１１〜１９行）との記載があり、図面第１図及び第２図からは、メインコンデンサの閃光放電管を介しての放電ループ内に設けられ、発光開始信号（ＴＲＧ）が発生する前に発光制御信号にて導通状態になされるＩＧＢＴ（ゲート制御型スイッチング素子）を備えたフラッシュ光量制御装置が窺え、結局、電源を含む昇圧回路１１と、該昇圧回路１１によって充電されるメインコンデンサと、閃光放電管Ｘｅと、上記メインコンデンサの閃光放電管Ｘｅを含む放電経路中に直列接続されたＩＧＢＴを有するストロボ装置において、発光開始信号に応答し、上記閃光放電管Ｘｅのトリガ電極に対して起動電圧を印加し、閃光放電管Ｘｅを導通状態に励起するトリガ回路１３と、上記発光開始信号が発生する前に上記ＩＧＢＴのゲート電極に電圧を印加し、該ＩＧＢＴを導通状態に転じさせると共に、上記閃光放電管Ｘｅの発光を中断する場合に上記ＩＧＢＴをオフさせて放電を中断するよう制御されるゲート電極制御手段と、を具備し、上記ゲート電極制御手段により該ＩＧＢＴが導通状態に転じた後に発光開始信号を発生させることを特徴とする調光式ストロボの制御回路、及び、電源を含み、出力端にダイオードＤ１が接続された昇圧回路１１と、該昇圧回路１１によって充電されるメインコンデンサと、閃光放電管Ｘｅと、上記メインコンデンサの上記閃光放電管Ｘｅを含む放電経路中に直列接続されたＩＧＢＴと、上記メインコンデンサ充電用の上記昇圧回路１１の両端に並列接続され、分圧点が上記ＩＧＢＴのゲート端に接続される分圧回路と、を具備したことを特徴とする調光式ストロボの制御回路が記載されている。
　同じく引用した特開昭６４−１７０３３号公報（以下、「第２引用例」という。）には、電源ＢＡＴを含むＤＣ−ＤＣコンバータ１と、該ＤＣ−ＤＣコンバータ１によって充電される充電手段Ｃ３と、閃光放電管Ｘｅと、上記充電手段Ｃ３の閃光放電管Ｘｅを含む放電経路中に直列接続されたＩＧＢＴを有するストロボ装置において、発光開始信号に応答し、上記閃光放電管Ｘｅのトリガ電極に対して起動電圧を印加し、閃光放電管Ｘｅを導通状態に励起するトリガ回路３とを具備するストロボの制御装置、及び、電源ＢＡＴを含み、出力端にダイオードＤ３が接続されたＤＣ−ＤＣコンバータ１と、該ＤＣ−ＤＣコンバータ１によって充電される充電手段Ｃ３と、閃光放電管Ｘｅと、上記充電手段Ｃ３の上記閃光放電管Ｘｅを含む放電経路中に直列接続されたＩＧＢＴと、上記充電手段Ｃ３充電用の上記ＤＣ−ＤＣコンバータの両端に並列接続され、分圧点が上記ＩＧＢＴのゲート端子に接続される分圧回路と、を具備したストロボの制御回路が開示され、また、「次に本実施例の変形例を説明する。第６図は、発光制御回路５の変形例を示す回路図である。この変形例は、第１図に示した実施例における定電圧回路を備えていない。」（第８頁右上欄第１５〜１８行）及び「第６図（ａ）に示した変形例では、ＩＧＢＴの駆動電圧をメインコンデンサＣ３から得ている。」（第８頁左下欄第２〜３行）との記載があり、図面第６図（ａ）からは、ＩＧＢＴの駆動電圧をメインコンデンサから得た、定電圧回路を備えない構成が窺え、
同じく引用した実公昭４８−３４６４６号公報（以下、「第３引用例」という。）には、「図において、電源Ｅにはクセノン等の稀ガスを充填した放電ランプＬ’とトランジスタＱとの直列回路が並列に接続されるとともにメインコンデンサＭＣが並列に接続され、さらに保護用高抵抗Ｒ１と電圧保持用コンデンサＣ１との直列回路が同じく電源Ｅに並列に接続されている。尚、トランジスタＱはそのエミッターコレクタが放電ランプＬ１と直列になるように接続されている。」（第２欄第２７〜３４行）、「サイリスタＳＣＲのアノードはトランジスタＱのベースに、またカソードは電源Ｅの共通ラインＣｏｍよりさらに低電位の電源ラインＥＣにそれぞれ接続されている。尚、抵抗Ｒ３はサイリスタＳＣＲのゲートと電源ラインＥＣとの間に挿入されたバイアス用のものであり、また抵抗Ｒ４はトランジスタＱのベースと電源Ｅの高電位の電源ラインＥｂｂより若干低い電位の電源ラインＥｂとの間に挿入されたバイアス用のものであり、このバイアスによってトランジスタＱは通常は導通状態にある。」（第３欄第１４〜２４行）、「以上述べた実施例について動作を説明すると、今、メインコンデンサＭＣには充分な電荷が蓄積されているものとし、カメラのシヤタアと応動するトリガスイッチＴＳを閉成すると放電ランプＬ’は点灯する。トランジスタＱは普通の状態では導通しているから放電ランプＬ’の放電電流が流れるのに何等支障はない。」（第３欄第３４〜４０行）、及び「従ってサイリスタＳＣＲも導通し、トランジスタＱのベースには電源ラインＥＣの電位が加えられて遮断され、放電ランプＬ’は消灯するものである。」（第４欄第２〜５行）との記載があり、図面第２図からは、トリガ回路、メインコンデンサと並列接続された放電ランプとスイッチ素子との直列体および上記スイッチ素子の制御極に接続された制御素子を備えた回路構成が窺え、
同じく引用した実開昭６１−３３２号公報（以下、「第４引用例」という。）には、「負荷駆動用電源に接続される入力端、および負荷に接続される出力端を有し、半導体スイッチ制御回路からの制御信号に応じて上記負荷駆動用電源を上記負荷に供給する半導体スイッチ素子を備えた負荷駆動回路において、上記半導体スイッチ素子の入力端と出力端との間に定電圧ダイオード介挿し、同ダイオードの両端電圧を上記半導体スイッチ制御回路の動作用電源とすることを特徴とする負荷駆動回路。」（実用新案登録請求の範囲）との記載があり、図面第２図からは、抵抗３１と定電圧素子である定電圧ダイオード３２とからなる負荷駆動用電源１３の分圧回路を、半導体スイッチ素子１２の動作用電源とした構成が窺える。
（請求項１〜３に係る発明についての対比・判断）
〈第２９条の２〉
　本件請求項１に係る発明と第１引用例に記載の発明とを対比すると、本件請求項１に係る発明の「昇圧回路」、「発光用放電管」、「ゲート制御型の第１のスイッチング素子」、「トリガ手段」は、夫々第１引用例に記載の発明の「昇圧回路１１」、「閃光放電管Ｘｅ」、「ＩＧＢＴ」、「トリガ回路１３」に相当するから、両者は、電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断するよう制御されるゲート電極制御手段と、を具備し、上記ゲート電極制御手段により該スイッチング素子が導通状態に転じた後に発光開始信号を発生させることを特徴とする調光式ストロボの制御回路、で一致し、
Ａ本件請求項１に係る発明は、このスイッチング素子のオフによりコレクタ電圧が上昇してゲートバイアス電源用コンデンサをチャージするよう制御されるゲート電極制御手段を有するのに対して、第１引用例に記載の発明は、この構成を有しない点、で相違する。
　そして、この相違点Ａは、自明な事項または技術常識であるとも認められないから、両者が同一であるとすることはできない。
　本件請求項３に係る発明と第１引用例に記載の発明とを対比すると、本件請求項３に係る発明の「第１のダイオード」、「昇圧回路」、「発光用放電管」、「ゲート制御型の第１のスイッチング素子」は、夫々第１引用例に記載の発明の「ダイオードＤ１」、「昇圧回路１１」、「閃光放電管Ｘｅ」、「ＩＧＢＴ」に相当するから、両者は、電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備したことを特徴とする調光式ストロボの制御回路、で一致し、
Ｂ本件請求項３に係る発明は、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続した構成を有するのに対して、第１引用例に記載の発明は、この構成を有しない点、で相違する。
　そして、この相違点Ｂは、自明な事項または技術常識であるとも認められないから、両者が同一であるとすることはできない。
〈第２９条第２項〉
　本件請求項１に係る発明と第２引用例に
記載の発明とを対比すると、本件請求項１に係る発明の「電源」、「昇圧回路」、「メインコンデンサ」、「発光用放電管」、「ゲート制御型の第１のスイッチング素子」、「トリガ手段」は、夫々第２引用例に記載の発明の「電源ＢＡＴ」、「ＤＣ−ＤＣコンバータ１」、「充電手段Ｃ３」、「閃光放電管Ｘｅ」、「ＩＧＢＴ」、「トリガ回路３」に相当するから、両者は、電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段を有するストロボの制御回路で一致し、
Ｃ本件請求項１に係る発明は、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断するゲ−ト電極制御手段を有するのに対して、第２引用例に記載の発明は、この構成を有しない点、
Ａ本件請求項１に係る発明は、このスイッチング素子のオフによりコレクタ電圧が上昇してゲートバイアス電源用コンデンサをチャージするよう制御されるゲート電極制御手段を有するのに対して、第２引用例に記載の発明は、この構成を有しない点、
Ｄ本件請求項１に係る発明は、上記ゲート電極制御手段により該スイッチング素子が導通状態に転じた後に発光開始信号を発生させるのに対して、第２引用例に記載の発明は、この構成を有しない点で相違する。
　そこで、第３引用例及び第４引用例に、上記Ａ、Ｃ、Ｄの構成が開示されているか否かを検討すると、いずれの引用例もこれらの構成を有さない。
　してみれば、第２〜４引用例は、上記Ａ、Ｃ、Ｄの構成を有さない。
　本件請求項１に係る発明は、これらの構成を有することによって、明細書記載の作用効果を奏するものであるから、前者が、後者に記載された発明であるとも、後者に記載された発明に基づいて、当業者が容易に推考することができたものともいえない。
　本件請求項３に係る発明と第２引用例に
記載の発明とを対比すると、本件請求項３に係る発明の「電源」、「第１のダイオード」、「昇圧回路」、「メインコンデンサ」、「発光用放電管」、「ゲート制御型の第１のスイッチング素子」は、夫々第２引用例に記載の発明の「電源ＢＡＴ」、「ダイオードＤ３」、「ＤＣ−ＤＣコンバータ１」、「充電手段Ｃ３」、「閃光放電管Ｘｅ」、「ＩＧＢＴ」に相当するから、両者は、電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備したストロボの制御回路で一致し、
Ｂ本件請求項３に係る発明は、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続した構成を有するのに対して、第１引用例に記載の発明は、この構成を有しない点で相違する。
　そこで、第３引用例及び第４引用例に、上記Ｂの構成が開示されているか否かを検討すると、いずれの引用例もこの構成を有さない。
　してみれば、第２〜４引用例は、上記Ｂの構成を有さない。
　本件請求項３に係る発明は、この構成を有することによって、明細書記載の作用効果を奏するものであるから、前者が、後者に記載された発明であるとも、後者に記載された発明に基づいて、当業者が容易に推考することができたものともいえない。
　したがって、本件請求項１および３に係る発明は特許出願の際独立して特許を受けることができない発明とすることはできない。
（ｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人大山　育男は、証拠として甲第１号証（特願平２−２５２３号〔特開平３−２０８０３１号公報〕）、甲第２号証（特開昭６４−１７０３３号公報）、甲第３号証（実公昭４８−３４６４６号公報）及び甲第４号証（実開昭６１−３３２号公報）を提出し、訂正前の請求項１〜８に係る発明は、特許法第２９条の２の規定に違反してなされたものであるから、特許を取り消すべき旨主張し、また、請求項１〜８に係る発明は、特許法第２９条第２項の規定に違反してなされたものであるから、特許を取り消すべき旨主張している。
イ.判断
〔本件請求項１および３に係る発明〕
　本件請求項１および３に係る発明は、上記（２）（ｉｖ）で示したように、取消理由通知で示した各引用例に記載された発明と同一であるとも、それらから容易に発明をすることができたものとすることができない。
〔本件請求項２に係る発明〕
   本件請求項２に係る発明は、本件請求項１に係る発明の構成の一部をさらに限定したものであるから、本件請求項１に係る発明と同様の判断である。
ウ.むすび
　以上のとおりであるから、特許異議申立の理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１２年９月７日（２０００．９．７）
【訂正の要旨】
　訂正の要旨
特許請求の範囲の減縮を目的として、下記（１）、（２）のように特許請求の範囲を訂正する。また、特許請求の範囲の訂正に応じて、発明の詳細な説明についても、適合性を持たせるために下記（３）のように訂正する。
（１）特許請求の範囲の請求項１を次のとおり訂正する。
「（１）電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御されるゲート電極制御手段と、を具備し、上記ゲート電極制御手段により該スイッチング素子が導通状態に転じた後に発光開始信号を発生させることを特徴とする調光式ストロボの制御回路。」
（２）特許請求の範囲の請求項３を次のとおり訂正する。
「（３）電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備し、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続したことを特徴とする調光式ストロボの制御回路。」
（３）明細書第６頁第１９行〜第７頁第１６行（特許掲載公報第６欄第９行〜第７欄第３４行）までを「請求項１に係る発明による調光式ストロボの制御回路は、電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、発光開始信号に応答し、上記放電管のトリガ電極に対して起動電圧を印加し、放電管を導通状態に励起するトリガ手段と、上記発光開始信号が発生する前に上記ゲート制御型スイッチング素子のゲート電極に電圧を印加し、該スイッチング素子を導通状態に転じさせると共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御されるゲート電極制御手段と、を具備し、上記ゲート電極制御手段により該スイッチング素子が導通状態に転じた後に発光開始信号を発生させることを特徴とし、
第２の調光式ストロボの制御回路は、上記ゲート電極制御手段が、上記第１のスイッチング素子のゲート端子とエミッタ端子間に接続され、上記第１のスイッチング素子をターンオフさせる第２のスイッチング素子を含み、
　また、請求項３に係る調光式ストロボの制御回路は、電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端に接続される分圧回路と、を具備し、上記メインコンデンサと上記第１のダイオードの間に、上記分圧回路を介して上記メインコンデンサの放電を防止する第２のダイオードを介挿すると共に、上記発光用放電管の陰極と上記分圧回路の間にダイオードを介挿し、このダイオードのカソードを上記第１のダイオードのカソードに、またアノードを上記スイッチング素子のコレクタに接続したことを特徴とする。」と訂正する。
（５４）【発明の名称】
調光式ストロボの制御回路
（５７）【特許請求の範囲】
（１）電源を含む昇圧回路と、該昇圧回路によって充電されるメインコンデンサと、
　発光用放電管と、上記メインコンデンサの発光用放電管を含む放電経路中に直列接続されたゲート制御型の第１のスイッチング素子を有するストロボ装置において、
　発光開始信号に応答し、上記放電管のトリガ電極に対して起動電圧を印加し、放電管を導通状態に励起するトリガ手段と、
　上記発光開始信号が発生する前に上記ゲート制御型スイッチング素子のゲート電極に電圧を印加し、該スイッチング素子を導通状態に転じさせる
と共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御される
　上記ゲート電極制御手段により該スイッチング素子が導通状態に転じた後に発光開始信号を発生させることを特徴とする調光式ストロボの制御回路。
（２）上記ゲート電極制御手段は、上記第１のスイッチング素子のゲート端子とエミッタ端子間に接続され、上記第１のスイッチング素子をターンオフさせる第２のスイッチング素子を含むことを特徴とする請求項１に記載の調光式ストロボの制御回路。
（３）電源を含み、出力端に第１のダイオードが接続された昇圧回路と、
　該昇圧回路によって充電されるメインコンデンサと、
　発光用放電管と、
　上記メインコンデンサの上記発光用放電管を含む放電経路中に直列接続されたゲート制御型のスイッチング素子と、
　上記メインコンデンサ充電用の上記昇圧回路の両端に並列接続され、分圧点が上記ゲート制御型のスイッチング素子のゲート端子に接続される分圧回路と、
　を具備し、
　上記メインコンデンサと上記第１のダイオードの間に、上記分圧回路を介して上記メインコンデンサの放電を防止する第２のダイオードを介挿
すると共に、上記発光用放電管の陰極と上記分圧回路の間にダイオードを介挿し、このダイオードのカソードを上記第１のダイオードのカソードに、またアノードを上記スイッチング素子のコレクタに接続した
【発明の詳細な説明】
［産業上の利用分野］
　この発明は、調光式ストロボの制御回路、詳しくは写真撮影等に使用する調光式ストロボ装置における発光用放電管の発光および発光停止を効率良く行う制御回路に関するものである。
［従来の技術］
　周知のように、調光式ストロボ装置を用いた閃光発光撮影は被写体に向けて発光用放電管を発光させ、最適露光値に達した時点で上記発光を停止させるものである。また、上記ストロボ装置の発光用放電管の発光を制御するには、従来、発光用放電管に半導体スイッチング素子としてサイリスタを直列に接続し、同サイリスタの導通をオン，オフ制御することによって行うのが一般的であった。
　しかし、この従来のサイリスタ制御式ストロボ回路は、サイリスタをオンさせるための点弧回路およびサイリスタをオフさせるための消弧用転流回路がそれぞれ必要となり回路が複雑で高価になるという欠点があった。
　そこで、この欠点を除去するためにサイリスタに替えて、近年実用化されたゲート絶縁型バイポーラトランジスタ（Ｉｎｓｕｌａｔｅｄ　Ｇａｔｅ　Ｂｉｐｏｌａｒ　Ｔｒａｎｓｉｓｔｏｒ）（以下、ＩＧＢＴという）等のゲート制御型スイッチング素子を用いたストロボ用制御回路（特開昭６４−１７０３３号公報参照）が提供されている。
　このゲート制御型スイッチング素子を用いたストロボ制御回路は、従来のサイリスタを用いたストロボ制御回路に比べると、素子そのものゝ機能である自己消弧型素子を用いているため、転流回路が不要であるという特徴を有している。しかしながら、このＩＧＢＴ等の制御素子を充分に導通状態に制御するためには、そのゲートにサイリスタよりは高い数１０Ｖという電圧を印加する必要がある。
　この数１０Ｖという高いゲート電圧を得る手段としては、従来、特開昭６４−１７０３３号公報に開示されている、ＩＧＢＴを使用したストロボ制御回路に示されている手段がある。この制御回路は、第５図に示すように、メインコンデンサＣを高圧充電するためのバッテリ電源昇圧回路１００に昇圧用コイルＳを付設し、このコイルＳによって誘起された交流電圧を、トランジスタＱ１，ツェナーダイオードＺＤ，大容量の平滑用コンデンサＣ１からなる定電圧回路１０１で直流の定電圧に変換し、数１０Ｖのゲート印加用電圧を作り、これをスイッチング用トランジスタＱ２を介してＩＧＢＴのゲートに印加するようにしている。上記トランジスタＱ２は制御信号発生回路１０２から発せられる発光開始信号によりオンするトランジスタＱ３によりオン動作をするようになっており、また上記信号発生回路１０２から発光停止信号が発せられたときには、トランジスタＱ４およびＱ５がオンし、上記トランジスタＱ２，Ｑ３がオフすることによりＩＧＢＴへのゲート電圧の印加を除去するようにしている。
　また、このストロボ制御回路においては、発光用放電管Ｘｅに直列に接続されたＩＧＢＴのコレクタに、上記放電管Ｘｅのトリガ電極に高圧のトリガ電圧を印加するためのトリガトランスＴが接続されていて、ＩＧＢＴの導通時にトリガコンデンサＣ２に充電されトリガトランスＴに高圧が誘起されてトリガ電極にこれが印加されるようになっている。
　一方、ゲート制御型スイッチング素子として周知のＦＥＴ（電界効果型トランジスタ）を用いたストロボ制御回路も特開昭６１−５０１２６号公報によって開示されているが、この制御回路においても発光用放電管に直列に接続されたＦＥＴのゲート電圧は、上記ＩＧＢＴのゲート電圧を得る手段と全く同様の手段が採用されている。
［発明が解決しようとする課題］
　ところが、上記ＩＧＢＴやＦＥＴ等のゲート制御型素子を用いたストロボ制御回路においては、上述のように、ゲート電極印加用の電圧をストロボ電源昇圧回路１００を利用して得ているため、
▲１▼昇圧用トランスの巻線に昇圧用コイルＳを付設するための中間タップを設けなければならない。
▲２▼昇圧用コイルＳに誘起された交流電圧を、安定した数１０Ｖのゲート印加用電圧にするために、トランジスタＱ１，ツェナーダイオードＺＤ，大容量の平滑用コンデンサＣ１からなる定電圧回路１０１を設けなければならない。
▲３▼ゲート電極への電圧を持続するために複数のスイッチング用トランジスタＱ２，Ｑ３，Ｑ４，Ｑ５からなるゲート回路１０３が必要になる。という回路を複雑化し、部品点数を多くしコスト高にするという欠点がある。
▲４▼ＩＧＢＴのゲート分布容量は一般に大きいから、ゲートバイアス抵抗値が大きい場合には発光信号に同期してＩＧＢＴをオンさせようとしても、ゲートバイアス抵抗値とこの分布容量とによって立ち上がり遅れが発生して、スイッチングが遅れ、飽和電圧が十分に下がらず、素子が破壊に至るおそれがある。
　本発明の目的は、ＩＧＢＴ等のゲート制御型のスイッチング素子を使用したストロボ制御回路における上記従来の欠点を除去し、複雑なゲート駆動電源用回路を必要とせず、部品点数も少なく極めてシンプルな構成であって、しかも上記スイッチング素子が破壊に至るおそれを無くした調光式ストロボの制御回路を提供するにある。
［課題を解決するための手段］
　請求項１に係る発明による調光式ストロボの制御回路は、電源を含む昇圧回路と、該昇圧回路によって充電されるメインコンデンサと、発光用放電管と、上記メインコンデンサの発光用放電管を含む放電経路中に直列接続されたゲート制御型の第１のスイッチング素子を有するストロボ装置において、
　発光開始信号に応答し、上記放電管のトリガ電極に対して起動電圧を印加し、放電管を導通状態に励起するトリガ手段と、
　上記発光開始信号が発生する前に上記ゲート制御型スイッチング素子のゲート電極に電圧を印加し、該スイッチング素子を導通状態に転じさせる
と共に、上記発光用放電管の発光を中断する場合に上記スイッチング素子をオフさせて放電を中断し、このスイッチング素子のオフによりコレクタ電圧が上昇してゲートバイアス電源用コンデンサをチャージするよう制御される
　上記ゲート電極制御手段により該スイッチング素子が導通状態に転じた後に発光開始信号を発生させることを特徴とし、
　第２の調光式ストロボの制御回路は、上記ゲート電極制御手段が、上記第１のスイッチング素子のゲート端子とエミッタ端子間に接続され、上記第１のスイッチング素子をターンオフさせる第２のスイッチング素子を含み、
　また、請求項３に係る調光式ストロボの制御回路は、電源を含み、出力端に第１のダイオードが接続された昇圧回路と、該昇圧回路によって充電されるメインコンデンサと、発光用放電管と、上記メインコンデンサの上記発光用放電管を含む放電経路中に直列接続されたゲート制御型のスイッチング素子と、上記メインコンデンサ充電用の上記昇圧回路の両端に並列接続され、分圧点が上記ゲート制御型のスイッチング素子のゲート端子に接続される分圧回路と、を具備し、
　上記メインコンデンサと上記第１のダイオードの間に、上記分圧回路を介して上記メインコンデンサの放電を防止する第２のダイオードを介挿
すると共に、上記発光用放電管の陰極と上記分圧回路の間にダイオードを介挿し、このダイオードのカソードを上記第１のダイオードのカソードに、またアノードを上記スイッチング素子のコレクタに接続した
［作　用］
　先ず、昇圧回路が昇圧動作を行うと、メインコンデンサまたはゲート電極用コンデンサに電荷がチャージされ、その電圧がＩＧＢＴのゲートに印加され、ＩＧＢＴはオン状態になる。次に発光開始に当っては発光開始信号に応答してトリガ手段を働かせ、発光用放電管を励起してこれを導通状態にする。すると、ＩＧＢＴは既にゲートにバイアス電圧を加えられてオン状態となっているから放電管を通じた放電々流はこの第１のスイッチング素子を通じて流れ、放電発光が行われる。
　そして、発光停止時には、発光停止信号に応答して該ゲート電極へのバイアス回路からのバイアス電圧の印加が停止され、自己消弧型の上記第１のスイッチング素子はターンオフして放電管への電流が断たれて発光が停止される。
［実　施　例］
　まず、実施例を説明するに先立ち参考技術を説明する。第１図は、参考技術を示す調光式ストロボの制御回路であって、発光用放電管１の放電に必要な高電圧を供給するための電源昇圧回路２の両端には、同昇圧回路２から供給された電荷を蓄えるメインコンデンサ３と、抵抗４，サイリスタ５の直列回路と、上記発光用放電管１，ゲート制御型の第１のスイッチング素子８の直列回路とがそれぞれ接続されている。
　上記サイリスタ５は、そのゲートに入力端子９から発光開始信号が印加されたときオンして、トリガ手段を働かせるためのものであって、トリガ手段は、上記抵抗４とサイリスタ５との接続点に一端が接続され他端がトリガトランス７の一次巻線に接続されたトリガコンデンサ６と、二次巻線が上記放電管１のトリガ電極１ｔに接続されていて同電極１ｔへの励起用高電圧パルスを発生するためのトリガトランス７と、オンしたときに上記コンデンサ６に蓄積された充電々荷を上記トリガトランス７の一次巻線を介して放電させる上記サイリスタ５とで構成されている。
　上記ゲート制御型の第１スイッチング素子８は、そのゲート電極８ｇにバイアス電圧が印加されることにより、コレクタ８ｃとエミッタ８ｅ間が導通し、ゲート電極８ｇへの電圧印加が断たれることによって非導通となる自己消弧型のゲート制御型のスイッチング素子であり、具体的にはＩＧＢＴまたは電力用ＦＥＴである。
　一方、メインコンデンサ３の正極にはバイアス用抵抗１２の一端が接続され、抵抗１２の他端は上記第１のスイッチング素子８のゲート電極８ｇに接続されており、第１のスイッチング素子８のゲート電極８ｇとエミッタ電極８ｅ間にはツェナーダイオード１３が並列に接続され、ツェナーダイオード１３には更に第２のスイッチング素子１４であるトランジスタが並列に接続されている。
　上記バイアス用抵抗１２はゲート電極８ｇにバイアス電圧が印加するバイアス回路を構成している。また、上記ツェナーダイオード１３はスイッチング素子８のゲート電極８ｇに対して、導通のために充分で、かつゲート電極８ｇが電圧破壊しない電圧を得るためのものである。
　他方、上記第２のスイッチング素子１４は、発光停止時に、そのベース電極に入力端子１５から発光停止信号が印加せられてオンするようになっていて、第１のスイッチング素子８のゲート電極８ｇを同素子８が非導通となる電圧以下に保持するためのスイッチング素子である。
　次に、このように構成された参考技術の制御回路の動作を、第２図に示すタイムチャートと共に説明する。先ず、電源スイッチ１９のオンにより、メインコンデンサ３に電源昇圧回路２から発光用放電管１が放電発光をするに充分な電圧が充電される。このメインコンデンサ３の両端の電圧が上昇すると、バイアス用抵抗１２を通じて第１のスイッチング素子８のゲート電極８ｇには、ゲートバイアス電圧が印加され第１のスイッチング素子８は導通状態となる。また、この状態においてはトリガコンデンサ６へも、抵抗４，トリガトランス７の一次巻線を通じて同じ電圧が充電される。
　この状態でストロボの発光開始に当って、入力端子９にサイリスタ５をターンオンするに必要な電圧を有する発光開始信号Ｖａが印加されると、サイリスタ５はオンしトリガコンデンサ６の充電々荷はトリガトランス７の一次巻線を通じて放電する。するとトリガトランス７の二次巻線には、高圧のトリガパルス電圧Ｖｔが発生し、これが放電管１のトリガ電極１ｔに印加される。放電管１はトリガ電極１ｔに高電圧パルスが加わることにより励起され導通する。このとき、第１のスイッチング素子８は前述の如く、既に導通状態となっているから、放電管１の放電々流はスイッチング素子８のコレクタ８ｃからエミッタ８ｅへと流れ、放電管１の放電発光Ｖｐが行われる。
　次に、ストロボの発光停止に当っては、他方の入力端子１５に第２のスイッチング素子１４をオンさせる発光停止信号Ｖｂが加えられる。すると、同スイッチング素子１４がオンし、第１のスイッチング素子８のゲート電極８ｇ，エミッタ８ｅ間の電位を下げる。第１のスイッチング素子８はゲート電位が低下すると、コレクタ８ｃ〜エミッタ８ｅ間の導通が断たれる、所謂自己消弧型のスイッチング素子であるから第２スイッチング素子１４のオンで第１スイッチング素子８のコレクタ８ｃ〜エミッタ８ｅ間は非導通となる。よって放電管１の放電々流は遮断され、放電発光は停止される。第２スイッチング素子１４への発光停止信号Ｖｂの印加は放電管１の消弧後、除去される。
　なお、ツェナーダイオード１３は第１スイッチング素子８のエミッタ８ｅ〜ゲート電極８ｇ間の電圧をクランプし、ゲート電極８ｇが破壊しないようにする役目をするものであるが、第１スイッチング素子８のゲート電極８ｇの破壊電圧がメインコンデンサ３の充電々圧以上であれば必要ない。
　このような電力用ゲート絶縁型スイッチング素子にあっては、ゲート電極に電圧が印加されるだけで、バイポーラトランジスタのように電流が流れなくともオンするが、一方オン時の飽和電圧を下げるため、素子面積が大きくゲートの分布容量も一般的に数千ｐＦと大きい。
　従って、抵抗を介してゲート電極にバイアス電圧を加える場合、ゲートには電流が流れないためバイアス用抵抗の抵抗値を大きくしても構わないが、従来例のように発光開始に同期して第１のスイッチング素子をオンさせる方式では、ゲートの分布容量のため、抵抗値を大きくすると、ゲートバイアス電圧の立上がりが遅れ、トリガ回路のトリガ動作がうまく行われなかったり、第１のスイッチング素子の飽和電圧が充分下がらないためにスイッチング素子が破壊してしまうという問題があった。
　しかし、この参考技術では、発光開始に先立って、メインコンデンサ３の充電と共にゲート電極に電圧を印加しているので、バイアス用抵抗の抵抗値を大きくしても、こうした問題がなく、トランジスタを用いた複雑なゲート制御回路や大容量のゲートバイアス用電源回路を使わなくて良い。
　第３図は、本発明の１実施例を示す調光式ストロボの制御回路である。この１実施例の制御回路は、上記参考技術の制御回路に、倍電圧回路を付加すると共に、ゲートバイアス用電源コンデンサ１１をメインコンデンサ３とは別に設けたものであって、その他の構成は上記参考技術の回路と全く同様に構成されている。従って同一の構成部品には同一の符号を付し、その説明は省略する。
　即ち、上記倍電圧回路は上記抵抗４とサイリスタ５の接続点に一端が接続され、他端が発光用放電管１の陰極１ｋに接続された倍電圧用コンデンサ１６と、陰極１ｋとアース間に接続された抵抗１７とで構成されている。
　一方、ゲートバイアス用電源回路は、昇圧回路２の出力端にアノードを接続した整流用ダイオ―ド２０のカソード側に一端を、他端をアースに接続したゲート電源用コンデンサ１１と、ダイオ―ド２０のカソードとコンデンサ１１の接続点にカソードを、アノードを第１のスイッチング素子８のコレクタ８ｃに接続したダイオ―ド１０からなっている。
　上記倍電圧用コンデンサ１６は、サイリスタ５がオンしたときに、放電管１の両端にメインコンデンサ３の充電々圧の略２倍の電圧を印加して、メインコンデンサ３の充電々圧が低くても放電し易くするためのものである。
　この第２実施例の回路においては、メインコンデンサ３への充電と共にバイアス電源用コンデンサ１１へも充電が行われ、抵抗１２を介して第１のスイッチング素子８のゲートにバイアス電圧が印加され、発光動作に先立って、第１のスイッチング素子８はオン状態になる。
　ダイオ―ド２１は昇圧回路２が停止した場合、メインコンデンサ３の充電電荷をゲートバイアス用抵抗１２を介して放電するのを防ぐためのものである。
　サイリスタ５のオフ時、トリガコンデンサ６と倍電圧用コンデンサ１６にはメインコンデンサ３の充電々圧と等しい電圧がそれぞれ充電されている。
　この状態で入力端子９に発光開始信号が印加されると、サイリスタ５がオンして放電管１のトリガ電極１ｔに励起用高電圧パルスを印加すると共に、放電管１の陰極１ｋをマイナス電位に引き下げる。このようにして放電管１が励起されると、放電管１の陽極１ａ〜陰極１ｋ間は導通状態となる。そして、放電管１が導通すると、既に第１のスイッチング素子８はオンしているのでメインコンデンサ３からの放電々流が放電管１，ダイオ―ド１８，第１のスイッチング素子８を通じて流れる。この後、第１のスイッチング素子８のターンオンからターンオフまでの動作は、上記参考技術の回路で説明した通りである。
　また、この１実施例の回路においては、放電管１の陰極１ｋと第１スイッチング素子８のコレクタ８ｃとの間にダイオード１８が接続されているが、これはサイリスタ５がオンしたときに倍電圧用コンデンサ１６の充電々圧により、放電管１の陰極１ｋがマイナス電位に引かれたときにスイッチング素子８のコレクタ８ｃが同じ電位になって、同素子８が破壊されるのを防ぐために入れられたものであるが、素子８のコレクタ８ｃの破壊電圧が充分大きければ必要ない。
　第４図は、上記第３図の１実施例の制御回路において、入力端子９と１５に繰り返しパルス信号を加え、赤目防止等のために比較的短かい周期による繰返し発光を行わせる場合のタイミングチャートを示したものである。
　これは発光開始時に、一方の入力端子９に発光開始信号Ｖａが加えられて放電管１の発光が開始される動作は、前述の通りである。また、発光を中断する場合に入力端子１５に発光停止信号Ｖｂの電流を加え、第２のスイッチング素子１４をオンさせて第１のスイッチング素子８のゲート電位を下げ、素子８をオフさせ放電を中断する。しかし、第１のスイッチング素子８のオフによって同素子８のコレクタ電位Ｖｃは上昇し、これによりゲートバイアス電源用コンデンサ１１が再びダイオ―ド１８，１０を通じてチャージされる。放電管１は電流を断たれても活性状態にあるので、この活性状態にある間は端子１５に“Ｈ”のレベル電圧を加えておき、不活性になった時点で“Ｌ”のレベル電圧に戻すと第２のスイッチング素子１４がオフし、再び第１のスイッチング素子８のゲート８ｇにバイアス電圧が加わり、スイッチング素子８が再びオンする。すると、第１のスイッチング素子８のゲート電位Ｖｇは再び、ゲートバイアス電源用コンデンサ１１のチャージ電圧で上昇し、スイッチング素子８がターンオンする。そして、次の発光タイミングで端子９に再び信号“Ｈ”を与えると、再び放電管１にトリガ信号が加わり、放電管１が励起されて放電発光が行われる。以後、放電停止動作については、第１回目の動作と同じに行われる。
　また、一般的には、ストロボは充電動作を行う場合、大きな電源電流を消費するため、レリーズボタンが押されて撮影動作が開始されると、ストロボの電源スイッチ１９はオフされる。すると、ゲートバイアス電源用コンデンサ１１の電荷はバイアス抵抗１２を介して放電するが、連続で繰返して発光する場合、放電停止のたびにコンデンサ１１が充電されるので、コンデンサ１１の容量を小さくできる。
　また、以上説明した実施例の制御回路においては、説明を簡単にするために、電流制限用抵抗，サイリスタのカソード〜ゲート間のシャント抵抗，コンデンサおよびトランジスタのエミッタ〜ベース間のシャント抵抗等は省略してある。
　上記実施例によれば、ＩＧＢＴ等の自己消弧型のゲート制御型スイッチング素子を使用したストロボ制御回路において、高圧回路から抵抗を介して上記スイッチング素子のバイアス電圧を得るようにしたので、明細書冒頭に述べた、この種従来の制御回路のように、上記スイッチング素子のゲート電極をバイアスするための電源を、昇圧回路から別電圧として独立に設ける必要がなく、また、バイアス用電源のための平滑用の大容量コンデンサ、定電圧素子等も不要となり、さらに放電発光前からバイアス電圧がゲート電極に加わるようにしたゝめ、従来のようにバイアス電源からゲート電極に対して電圧を印可するための、複数のトランジスタからなるゲート回路も不要になる。
［発明の効果］
　以上述べたように本発明によれば、トリガ手段による励起動作以前にゲート制御型スイッチング素子を導通状態にさせ、または、スイッチング素子のゲート端子にメインコンデンサ若しくは昇圧回路からの電圧を分圧して印可するようにしたので、複雑なゲート駆動用電源回路を必要とせず、部品点数も極めて少ないシンプルな構成であって、しかも上記スイッチング素子が破壊に至るおそれを無くした調光式ストロボの制御回路を提供することができる。
【図面の簡単な説明】
　第１図は、参考技術を示す調光式ストロボの制御回路の電気回路図、
　第２図は、参考技術の制御回路のタイムチャート、
　第３図は、本発明の１実施例を示す調光式ストロボの制御回路の電気回路図、
　第４図は、上記１実施例の制御回路におけるストロボ連続発光時のタイムチャート、
　第５図は、従来の調光式ストロボの制御回路の一例を示す電気回路図である。
　１………発光用放電管
　１ｔ……トリガ電極
　２………電源昇圧回路
　３………メインコンデンサ
　５………サイリスタ（トリガ手段）
　６………トリガコンデンサ（トリガ手段）
　７………トリガトランス（トリガ手段）
　８………ゲート制御型の第１スイッチング素子
　８ｇ……ゲート電極
　１１……ゲートバイアス電源用コンデンサ
　１４……第２のスイッチング素子